(57)【要約】      （修正有）【課題】簡単かつ堅牢な構造により汚濁環境下にあっても長期にわたって監視カメラレンズ表面等を清浄に保つことが可能な清浄空間形成装置を提供する。【解決手段】柱状の第１空間１と、第１空間の外側面周囲に配置された第２空間２と、第１空間と第２空間とを仕切る隔壁３と、第１空間の両端開口部の一方を閉鎖する端部壁５と、第２空間を外側から包み込むように閉鎖する外壁４と、外壁により閉鎖された第２空間に気体を供給する気体供給手段６とを備え、隔壁の少なくとも一部は気体を第２空間から第１空間へと均一に流通させる浸透部により形成された清浄空間形成装置１０が、内部に汚濁環境空間ＤＡを有する設備２２、３２、４０、５０の壁面に、取り付けられ、清浄空間形成装置の端部壁が該設備の外部を臨むとともに第１空間が汚濁環境空間に連通するようにして配置される。【選択図】図１
2007205708.tif 000002
【特許請求の範囲】
【請求項１】
柱状の第１空間と、前記第１空間の外側面周囲に配置された第２空間と、前記第１空間と第２空間とを仕切る隔壁と、前記第１空間の両端開口部の一方を閉鎖する端部壁と、前記第２空間を外側から包み込むように閉鎖する外壁と、前記外壁により閉鎖された前記第２空間に気体を供給する気体供給手段と、を備え、前記隔壁の少なくとも一部は気体を前記第２空間から第１空間へと均一に流通させる浸透部により形成された清浄空間形成装置が、内部に汚濁環境空間を有する設備の壁面に、取り付けられ、前記清浄空間形成装置の前記端部壁が該設備の外部を臨むとともに前記第１空間が前記汚濁環境空間に連通するようにして配置されたことを特徴とする視界確保装置。
【請求項２】
請求項１の視界確保装置の、前記端部壁の外側近傍にテレビカメラおよび／または光源を配置した汚濁環境空間を有する設備の監視装置。
【請求項３】
請求項２の監視装置をスナウト亜鉛浴面近傍に備えた連続溶融亜鉛鍍金装置。
【請求項４】
請求項２の監視装置を加熱帯炉頂近傍に備えた連続焼鈍装置。
【発明の詳細な説明】
【技術分野】
【０００１】
本発明は、汚濁環境における清浄空間形成装置に関する。より具体的には、空間内での乱流の発生を防止して、汚濁環境に面するテレビカメラのレンズ等の表面を長期にわたり清浄に保つことが可能な清浄空間形成装置に関するものである。
【背景技術】
【０００２】
連続焼鈍炉や連続溶融亜鉛鍍金ライン（Ｃ．Ｇ．Ｌ．）など、粉塵が多く発生する汚濁環境設備では、内部状況を的確に把握して操業管理に反映させるために、その壁面に設けられた監視窓から、照明を内部に向けて照射しながら目視や監視カメラ等を用いて、汚濁環境設備の内部状況を監視することが、広く行われている。
【０００３】
しかしながら、汚濁環境設備の内部は多粉塵雰囲気にあるため、観察開始時から比較的短時間で、これらの粉塵が監視窓のガラス内面に付着し、内部に照明を照射しても、目視や監視カメラ等を用いてこの汚濁環境設備の内部を監視することが、短期間(例えば数日の操業)で不可能になってしまう。
【０００４】
このような問題に対して、特許文献１では、カメラケース先端付近から斜め前方へと向けた気流と、カメラケース内に設けられた透明板の前面周囲から中心方向に向けた気流とを発生させて、これらの気流によりエアーによる粉塵の巻き込みを防止し、エアパージフード内への粉塵の侵入を防止する構成が開示されている。
【０００５】
また特許文献２では、カメラハウジング内に配置されたカメラの後方の開口から該カメラハウジング内に送風し、この気流をカメラ前方の開口部よりさらに前方に延設されたフードを経て外部に流出させる構造により塵埃のカメラレンズへの付着を防止する方法が開示されている。
【０００６】
特許文献３では、超音波センサーに二重フードを取り付けて、このフードの内側から中心へとパージガスを連続的に噴出させることにより、超音波センサーの送受信面に対する粉塵の付着を防止する構造が開示されている。
【０００７】
特許文献４には、第１ガス送給手段により浄化ガスを光学的平面に隣接したノズルヘと送給してノズル内に第１浄化ガス流を生成し、第２ガス送給手段により第１浄化ガス流のガスを第２浄化ガス流に乗せてノズルを介して前方へ引き寄せることにより、監視窓内をパージする構成が提案されている。
【０００８】
また、特許文献５には、めっき浴槽のスナウトの側壁に設けられ、スナウトの内部を観察する監視窓の奥側に、スナウト内に第１の気体を流すスリットを設け、このスリットと透過体との間に第２の気体を供給する監視窓付きめっき浴槽用スナウトが提案されている。
【０００９】
さらに、特許文献６には、透明板の所定の面を囲むようにしてエアー通路が形成されるとともにこのエアー通路内にエアーを供給するエアー取入口とエアー通路内のエアーを吐き出すエアー吐出口とを有し、このエアー吐出口が所定の面を含む平面に対して近設する位置に所定の面を囲むようにして設けられ、かつ、エアー吐出口はエアー吐出口から吐き出されるエアーが所定の面に沿ってその中央に向かうように向けられているエアパージフードが提案されている。
【特許文献１】特開２００１−１０８８８０号公報
【特許文献２】特開平６−１６７６７０号公報
【特許文献３】特開平１１−３０５４８号公報
【特許文献４】特開平８−２３４１３４号公報
【特許文献５】特開平１１−３０２８０８号公報
【特許文献６】特開平７−７２５４１号公報
【発明の開示】
【発明が解決しようとする課題】
【００１０】
しかし、特許文献４または特許文献５に開示された発明は、いずれも、２つの気体を別系統で供給する必要がある。このため、装置の構造が複雑化するとともに、これら２つの気体の圧力をいずれも適正に調整しなければ渦流が発生し、視野を長期間にわたって充分に確保することができなくなる可能性が高い。
【００１１】
一方、特許文献１〜３、および６に開示された発明では、１つの気体を用いるものの、エアー吐出口の形状が的確でないとフード内において渦流が発生し、やはり、視野を長期間にわたって充分に確保することができなくなる可能性が高い。
【００１２】
本発明の課題は、簡単かつ堅牢な構造により汚濁環境下にあっても長期にわたって監視カメラレンズ表面等を清浄に保つことが可能な清浄空間形成装置を提供することにある。
【課題を解決するための手段】
【００１３】
上述したように、従来は汚濁環境設備における例えば粉塵、煙、水蒸気さらにはZnフューム等が監視カメラレンズ表面等に付着することを防止するために、この監視カメラレンズ表面等の前方に、比較的大きな流速を有する気流を発生させることにより、粉塵を含む汚濁雰囲気ガスが視野空間内に流入することを遮断する、いわばエアパージ方式が行われていた。
【００１４】
しかしながら、このエアパージ方式では確実かつ安価に視野を長期間にわたって充分に確保することができないため、本願発明者は鋭意検討を重ねた結果、視野空間内に生成させた気流を用いて汚濁雰囲気ガスの流入を遮断するのではなくて、視野空間内に乱流がほとんど発生しないように極めて緩やかにかつ均一に気体を供給して、穏やかな気体の流れを現出することによって、上記の課題を解決することが可能となることを知見し、さらに検討を重ねて本発明を完成した。以下に本発明について具体的に説明する。なお、本発明の理解を容易にするために添付図面の参照符号を括弧書きにて付記するが、それにより本発明が図示の形態に限定されるものではない。
【００１５】
本発明の第一の態様は、柱状の第１空間（１）と第１空間の外側面周囲に配置された第２空間（２）と第１空間と第２空間とを仕切る隔壁（３）と第１空間の両端開口部の一方を閉鎖する端部壁（５ａ）と第２空間を外側から包み込むように閉鎖する外壁（４）と外壁により閉鎖された第２空間に気体を供給する気体供給手段（６）とを備え、隔壁の少なくとも一部は気体を第２空間から第１空間へと均一に流通させる浸透部により形成されている清浄空間形成装置である。
【００１６】
この第一の態様にかかる清浄空間形成装置においては、まず気体供給手段により、閉鎖された空間である第２空間に気体が供給される。その結果、第２空間の内圧が高められて第２空間と第１空間との間に差圧が発生する。すると、第１空間と第２空間とを仕切る隔壁の少なくとも一部は気体を流通させることが可能な浸透部により構成されているので、第２空間に供給された気体は浸透部から第１空間へと流通される。ここで浸透部を介しての気体の流通は均一であるので、第２空間から第１空間への気体の流れによる部分的乱流は発生し難い。また第１空間は一方の端面が開口されているので、第２空間から第１空間へと流通された気体は、この開口部全体を介して外部へと緩やかにかつ遅滞なく排出される。このようにして第１空間は外部の圧力より僅かに高く保たれ、乱流発生による第１空間内への塵埃等の巻き込み現象が起こりにくいので、外部空間に存在する塵埃等の汚濁物質が第１空間へ流入されることが防止可能となる。
【００１７】
上記態様において、浸透部の形状は円筒形であることとしてもよい。
【００１８】
このようにすれば、円形の断面形状に関して、全周にわたり直径方向に一様な気体の流通が確保されるので、より一層、乱流が発生し難い。また浸透部の機械的強度を高く保つことが容易となる。
【００１９】
上記のように構成した場合にさらに浸透部の長さをＬ、直径をＤとしたとき、
ＬとＤとの間に、Ｌ＞Ｄ
なる関係が成立するように構成してもよい。
【００２０】
このように構成した場合には、たとえ外部の気体の流れが強くなって第１空間の開口部から外部空間に存在する塵埃等の汚濁物質が第１空間へと流入されるようなことがあっても、その影響を開口部付近の一部にとどめることができ、汚濁物質で汚染される第１空間内部の割合を低く抑えることができる。
【００２１】
上記態様において、隔壁（３）の全体を浸透部で構成してもよい。
【００２２】
このように構成した場合、第２空間から第１空間への均一な気体流通が行われる面積が増えるので、より一層乱流の発生を抑制することが可能となる。
【００２３】
また、上記態様において、浸透部は多孔質な材料により形成されていることとしてもよい。
【００２４】
このようにすれば、浸透部の多くの孔を通じて第２空間から第１空間へと均一に気体が流通され、乱流の発生が抑制される。
【００２５】
さらに上記態様において、浸透部はフィルターの濾材によって形成されていることとすることもできる。ここでの「フィルター」とは、液体や気体などの流体を濾過する目的のフィルターをいい、音、光、電磁気等を選択的に透過させるフィルターを含むものではない。
【００２６】
このように構成した場合、浸透部の材料として例えば市中にて入手可能なフィルターの濾材を利用することができるので、特別に浸透部の材料を作製する必要がなく、材料の入手が容易である。また、フィルターの濾材は多孔質に形成されているので、多くの孔を通じて第２空間から第１空間へと気体が均一に流通され、乱流の発生が抑制される。さらに、フィルターの濾材内部の孔は、ランダムな方向に向けられているので、これらの孔が第１空間側に開口する部分の向きもランダムである。したがって、第２空間から濾材を介して浸透されてきた気体の、第１空間への各孔からの排出方向がランダムであるので直径方向に相殺され、一層乱流の発生が抑制される。
【００２７】
上記のように構成した場合さらにフィルターの濾材を焼結金属により構成してもよい。
【００２８】
このように構成すれば、耐熱性に富み、剛性の高い浸透部を構成することができる。また、焼結金属と、他の金属との接合は容易なので、製造することが容易な清浄空間形成装置を構成することができる。焼結金属フィルターの濾材は、粉状、メッシュ状、繊維状等の金属を焼結したもので、本発明においてはこれらのいずれも用いることができる。金属の種類としては、ステンレス系、ブロンズ系等が市中にて容易に入手できるが本発明はこれらに限定されるものではない。ただし、腐食性の雰囲気中で使用される場合にはステンレス系の焼結金属フィルターを使用することが好ましい。
【００２９】
また、フィルターの濾材をセラミックで構成してもよい。
【００３０】
このように構成した場合には、耐食性、耐熱性、剛性の高い浸透部を構成することができる。また、各種サイズ（内径、外径、長さ）の円筒形状の焼結金属フィルター、セラミックフィルターは市中にて容易に入手できるため、製作の面からも有利である。
【００３１】
またさらに、フィルターの濾材を、紙、不織布、織布、またはガラス繊維のうちのいずれかで構成してもよい。
【００３２】
このようにすれば、比較的入手しやすく安価かつ軽量な材料にて浸透部を構成することができる。また、濾材の不織布、織布を合成繊維で構成した場合、およびガラス繊維で構成した場合には、反応性が低く耐食性の高い浸透部を構成することが可能となる。なおこれらの材料を濾材として使用する場合、面方向に均一な濾過を確保し、かつ濾過精度を高めるため、各材料のシートを積層して使用することが望ましい。
【００３３】
上記のように浸透部をフィルターの濾材で構成した場合さらに、濾材の液体フィルターとしての、ＪＩＳ  Ｂ  ８３５６−８（２００２）（ＩＳＯ  １６８８９（１９９９）マルチパステスト法）の平均濾過比（β値）が
β５０≧７５
であることとしてもよい。
【００３４】
上記β値は、５０μｍ径の被濾過物がフィルター通過により７５％以上濾過されることを示している。従って、このような濾過精度を備えた、微細な多孔質の濾材で構成された浸透部を介して第２空間から第１空間へと気体が均一に流通されるので、第１空間内で乱流が発生することが防止される。
【００３５】
上記のように浸透部をフィルターの濾材で構成した場合はまた、濾材の気体フィルターとしての濾過精度を、公称値２０μｍ以下であることとしてもよい。
【００３６】
このように構成しても、微細な多孔質の濾材で構成された浸透部を介して第２空間から第１空間へと気体が均一に流通されるので、第１空間内で乱流が発生することが防止される。
【００３７】
上記諸態様において、隔壁（３）により隔てられた第１空間（１）と第２空間（２）との間の差圧ΔＰを、
ΔＰ≦１×１０５Ｐａ
の範囲に設定できるように気体供給手段（６）が設けられていることとしてもよい。
【００３８】
このように構成した場合、両空間の間の差圧が所定値以上に大きくならないので、第２空間から第１空間への気体の流通速度が低く抑えられて、穏やかな気体の流通が確保され、第１空間内での乱流の発生が防止される。かかる気体供給手段は、例えばエアコンプレッサーと、圧力調整弁を備えた装置により実現することができる。
【００３９】
上記諸態様において、第１空間（１）の開放されている側の開口部（１１）にフード（４ｃ）を設けてもよい。
【００４０】
このようにすれば、たとえ外部の気体の流れが強くなってフードの開口から外部空間に存在する塵埃等の汚濁物質がフード内へと流入されるようなことがあっても、その影響をフード内にとどめることができ、第１空間の内部が汚濁物質により汚染されるのを防ぐことが可能となる。
【００４１】
また上記態様において、外壁（４）に冷却手段および／または加熱手段を設けてもよい。
【００４２】
このように構成すれば、たとえ外部が高温度や低温度の環境であっても第１空間内の温度を所定範囲の適温に保つことが可能となり、例えば第１空間内にセンサー等の検知器を収容して所定の測定を行うような場合、温度の影響による測定誤差発生等を抑制することができる。
【００４３】
本発明の第二の態様は、内部に汚濁環境空間（ＤＡ）を有する設備（２２、３２、４０、５０）の壁面に、上記第１の態様の清浄空間形成装置（１０）（各変形例を含む。）が取り付けられ、清浄空間形成装置の端部壁（５ａ）が該設備の外部を臨むとともに第１空間（１）が汚濁環境空間に連通するようにして配置されたことを特徴とする視界確保装置（２０）である。
【００４４】
ここに「汚濁環境空間」とは、粉塵、金属ヒューム等の微小な物質が浮遊し、または微小な速度で沈降して、これらがガラス面等、視界を確保するために光を透過させる部材の表面に付着した場合に、視界を悪くする原因となる雰囲気の環境空間をいう。また、「汚濁環境設備」とは、内部または、内部およびその周辺に前記汚濁環境空間を有する設備をいう。さらに「壁面に取り付けられる」とは、壁面に直接取り付けられる場合のほか、フランジを介して壁面に取り付けられる場合や、壁面から突出して取り付けられたフランジを介してその壁面に取り付けられるような場合をも含む概念である。清浄空間形成装置はこのような浮遊等する汚濁物質が第１空間へ侵入することを防止するので、当該第二実施形態にかかる視野確保装置内部の視野が確保される。
【００４５】
この第二の態様においては、設備に取り付けられる視界確保装置の構成として、第１空間と汚濁環境空間とが連続空間となっていればよく、視野確保装置が設備の内部側に突出して設けられていてもよいし、逆に設備の外部に突出するように設けられていてもよい。
【００４６】
さらに、上記視界確保装置の端部壁の外側近傍にテレビカメラ（２３）および／または光源（２５）を配置した汚濁環境空間を有する設備の監視装置を構成することもできる。
【００４７】
この場合、清浄空間確保装置の端部壁面は、透明なガラスや合成樹脂（アクリル、ポリスチレン、ポリカーボネート、ポリエチレンテレフタレート（ＰＥＴ）等）板にて形成される。このように構成した場合、汚濁環境設備に面する清浄空間確保装置の端部壁面は清浄に保たれるので、端部壁面を介して、テレビカメラで、設備内部を監視すること、および端部壁面を介して光を設備内部に投射し目視等にて監視することが可能となる。このような監視装置はスナウト亜鉛浴面近傍に配置されて、連続溶融亜鉛鍍金装置スナウト内の亜鉛浴面の監視に好適に使用される。この場合、端部壁面に汚れが付着することを防止できるので、スナウト内の亜鉛浴面をテレビカメラにより長期にわたってメインテナンスフリーで観察することができる。また、加熱帯炉頂近傍に配置されて、連続焼鈍炉内の走行帯の蛇行監視に好適に使用される。この場合にも同様に、端部壁面を汚すことなく、長期にわたって連続焼鈍炉内を走行する鋼板の位置（のズレ）を監視することができる。
【００４８】
本発明の第三の態様は、汚濁環境空間（ＤＡ）内に設けられ、上記第１の態様にかかる清浄空間形成装置（１０）（各変形例を含む。）の第１空間（１）内に検知器（９０、１０１ａ、１０１ｂ、１１１、１２１、１３１）を備えた汚濁環境内の検知装置（１００、１００ａ、１００ｂ、１１０、１２０、１３０））である。この検知装置を汚濁環境設備の汚濁環境空間内に設けてもよい。
【００４９】
この第三の態様の検知装置によれば、検知器が清浄空間形成装置の内部に設けられているので、検知装置全体をコンパクトなものとすることができる。また、検知器と清浄空間形成装置が一体となっており、特に特定部分への取り付けを要求していないので、汚濁環境空間内での移動、移設を自由に行うことができる。
【００５０】
上記態様において、検知器として、テレビカメラ、放射温度計、フォトセンサー、超音波センサーのうちのいずれかを使用してもよい。
【００５１】
この第三の態様の検知装置においては、検知器のある空間と汚濁環境空間とは連続空間であり、検知器と汚濁環境空間とを仕切るガラス板のようなものは存在しない。したがって、被検知体からの情報を直接検知器にて検知することが可能となる。テレビカメラのほか、非検知物との間にガラス板等があると測定不能、または正確な測定値を得ることができなかった、放射温度計、透過型および反射型フォトセンサー、超音波センサーなどを第１空間内に配置して、汚濁環境設備内の所定の観察、測定を行うことが可能である。
【００５２】
上記第三の態様にかかる検知装置の具体的態様として、汚濁環境設備を連続溶融亜鉛鍍金装置（Ｃ．Ｇ．Ｌ．）、検知器を連続溶融亜鉛鍍金装置のスナウト亜鉛浴面の監視テレビカメラとして構成してもよい。
【００５３】
このようにすれば、連続溶融亜鉛鍍金装置のスナウト亜鉛浴面をテレビカメラにより長期にわたって、カメラを汚すことなく観察することができる。
【００５４】
上記第三の態様にかかる検知装置の他の具体的態様として、汚濁環境設備を連続焼鈍炉、検知器を焼鈍炉の加熱帯炉頂の鋼板位置センサーとして構成してもよい。
【００５５】
このようにすれば、連続焼鈍炉の加熱帯炉頂における鋼板の位置のズレを、センサーを汚すことなく長期にわたって監視することができる。
【００５６】
さらにこのような検知装置を組み込んだ設備を構成することも可能である。例えば、清浄空間形成装置と、該清浄空間形成装置の第１空間の内部に配置されたテレビカメラとをスナウト亜鉛浴面近傍に備えた連続溶融亜鉛鍍金装置として構成することができる。
【００５７】
また、清浄空間形成装置と、該清浄空間形成装置の第１空間の内部に配置された位置センサーとを板走行部近傍に備えた連続焼鈍炉としても構成することができる。
【発明の効果】
【００５８】
本発明の清浄空間形成装置によれば、第２空間から第１空間への気体の移動が多孔質の浸透部を介して行われるので、気体の流れが均一かつ、穏やかに行われる。したがって、第１空間内において乱流の発生を抑制でき、汚濁環境空間内に存在する塵埃等が第１空間内に侵入するのを防止することができる。もって、長期にわたりメインテナンスフリーの監視等が可能となる。
【発明を実施するための最良の形態】
【００５９】
本発明のこのような作用及び利得は、次に説明する実施の形態から明らかにされる。
【００６０】
図１は、本発明にかかる清浄空間形成装置を示す概略断面図である。図示されているように清浄空間形成装置１０は、柱状の第１空間１と、前記第１空間の外側面周囲に配置された第２空間２と、前記第１空間１と第２空間２とを仕切る隔壁３と、前記第１空間１の両端開口部の一方を閉鎖する端部壁５ａと、前記隔壁３と軸心を共有するとともに第２空間２の外周側に配置される円筒状の外周壁４ａと、端部壁５ａの外周方向に延設されて外周壁４ａの一端側（図の左側）端面に至る第１リング部５ｂと、外周壁４ａの他端側（図の右側）から径方向内方に延設される第２リング部４ｂと、前記第２空間２に気体を供給する気体供給手段６とを備えている。外周壁４ａ、第１リング部５ｂ、および第２リング部４ｂは、第２空間２の外壁４を形成し、隔壁３と組み合わされたときに第２空間２を閉鎖する。
【００６１】
端部壁５ａは、正確に表現すると、第１空間１の端面を閉鎖する部分のみをいうものであるが、その外周部には第１リング部５ｂが延設されており、本実施形態において両者は一体に形成されているので、以降の説明では便宜上両者を含めて端部壁５として説明する。なお、図示していないが、隔壁３と外壁４との間、隔壁３と端部壁５との間、及び外壁４と端部壁５との間には、気密性を確保するために適宜パッキン等が介在されている。第１空間１の端部壁５の反対側に設けられている開口部１１は外部に開放されている。外周壁４ａは隔壁３と略等長に形成されており、開口部１１側にはフード４ｃが取り付けられている。
【００６２】
以下に清浄空間形成装置１０を構成する各部材について説明する。
【００６３】
（隔壁３）
隔壁３は、気体供給手段６から第２空間２に供給された気体を第１空間１へと流通させる目的を持つ。この際に流通される気体により第１空間１内に乱流が発生しないように多孔質のフィルター濾材が使用される。具体的には以下の実施形態においては、焼結金属フィルターとして、ＳＭＣ株式会社製ＥＢ（公称濾過精度：１０μｍ、材質：ブロンズ）が使用されている。
【００６４】
焼結金属フィルター内には微細な孔がランダムな方向に形成されている。したがって、この焼結金属フィルター内部から焼結金属フィルター内周面側に無数ともいえる非常に多くの開口が、ランダムな方向に向けて形成されている。
【００６５】
焼結金属をフィルターの濾材として使用する場合、金属の材質として特に限定するものではないが、市中では、銅系金属やステンレス鋼を材料としたものが比較的容易に入手可能である。使用する気体が反応性をもつものである場合、あるいは使用環境が腐食性を有する物質を含む場合にはステンレス鋼系の焼結金属による濾材を使用することが望ましい。いずれにせよ焼結金属をフィルターの濾材として使用すれば、剛性が高く、耐熱性の高い隔壁を構成することができる。
【００６６】
焼結金属は、金属粉体を温度と圧力をかけて焼結したもの、あるいは、あらかじめメッシュ状に加工したシートを圧力をかけて積層したものなどがあるが、本発明においてはいずれのタイプのものでも使用することができる。
【００６７】
フィルターの濾材として、焼結金属のほか、セラミックフィルターの濾材を剛性、耐熱性等の観点から好ましく使用することができる。また、紙、不織布、織布、ガラス繊維等を使用することができる。これらのうち高温、腐食環境などにおける使用に対してはセラミックフィルターを使用することが望ましい。また、ガラス繊維や合成樹脂繊維によるものは、反応性の高い気体を使用する場合や腐食環境における使用に推奨されるものである。このほか、紙、不織布、織布等を濾材として使用した場合には、清浄空間形成装置１０全体の重量を軽減できるという利点がある。
【００６８】
上記のように浸透部をフィルターの濾材で構成した場合、濾材の液体フィルターとしての、ＪＩＳ  Ｂ  ８３５６−８（２００２）（ＩＳＯ  １６８８９（１９９９）マルチパステスト法）の平均濾過比（β値）が
β５０≧７５、より好ましくは
β２５≧７５
であることが望ましい。また、濾材の気体フィルターとしての濾過精度は、公称値２０μｍ以下が好ましく、１０μｍ程度であることが望ましい。このような濾過精度を備えた微細な多孔質の濾材で構成された浸透部を介して第２空間から第１空間へと気体が均一に流通されるので、第１空間内で乱流が発生することが防止される。
【００６９】
なお、均一な気体の流れを確保するという観点から隔壁３は全体を濾材にて形成することが好ましい。しかし本発明はこれに限定されず、均一な気体の流れを確保できる範囲において、濾材は隔壁３の一部であってもよい。例えば、濾材を多数の短冊状に形成して円筒を取り囲むように配列してもよく、幅のあるリング状のものが隔壁３の長さ方向に複数配置されているようにしてもよく、チェックマーク状に隔壁３の全面に配置してもよく、さらにらせん帯状に配置してもよい。
【００７０】
第１空間１の径方向への気体の流れを均一なものとするという観点から、隔壁３の形状は、円筒形を基本とする。前述のように、隔壁３として焼結金属フィルターや、セラミックフィルターを用いる場合、種々のサイズ（内径、外径、長さ）、種々の濾過精度の円筒形状のフィルターを容易に市中から入手することが可能であるため、製作性の点からも好ましい。円筒形の場合には、隔壁３の長さをその直径より大きく設定するとよい。このようにすればたとえ清浄空間形成装置１０の外部での気体の流れが強くなって、第１空間１の開口部１１から外部空間に存在する塵埃等の汚濁物質が第１空間１へと流入されることがあっても、その影響を開口部１１付近の一部にとどめることができ、第１空間１の内部が汚濁物質で汚染されることを少なくすることができる。隔壁３の形状は、清浄空間形成装置１０を配置する環境に応じて、三角筒形、四角筒形、辺を５以上有する多角筒形としてもよい。また、隔壁３の形状を半載円錐筒状とすることもできる。このようにすれば、長さ方向の流速の変化を小さくできるという利点がある。さらに隔壁３を開口部１１側前方に延設して、それによりフード４ｃを構成してもよい。
【００７１】
（外壁４）
本発明における外壁４の役割は、隔壁３とともに第２空間２を閉鎖し、かつ、清浄空間形成装置１０の外装体としての十分な強度を備えることである。このような役割を果たす範囲内で外壁４の形状は隔壁３より自由に選択することが可能である。以下の実施形態においては円筒形の隔壁３に対して、外壁４は隔壁３の円筒と軸心を共有する円筒状の外周壁４ａと、外周壁４ａと隔壁３とを結ぶ二つのリング部５ｂ、４ｂとにより構成されている。なお前記したように、開口部１１にはフード４ｃを取り付けてもよい。開口部１１にフードを設けることによって、外気の影響をより小さなものとすることが可能となる。
【００７２】
以下の実施形態においては外壁４の材料としてステンレス鋼が使用されているが、チタン、銅、真鋳、鋳鉄、鋼、アルミニウムなどの金属のほか、使用される環境の温度条件を考慮の上、プラスチック、ガラスやセラミックスを使用することもできる。また、清浄空間形成装置１０が置かれる環境が高温度である場合、外壁４にウオータジャケットを設けて、水冷により清浄空間形成装置１０の内部、特に第１空間１を所定の温度（範囲）に保つようにしてもよい。さらに清浄空間形成装置１０が置かれる環境が極低温度であって、第１空間内部に配置するセンサー等の機能が低下する恐れのある場合、外壁４に電熱線等の加熱手段を設けて第１空間１を所定の温度（範囲）に保つようにしてもよい。
【００７３】
（端部壁５）
前記したように正確にいうと端部壁は符号５ａで示される隔壁３の一方の開口を閉鎖する部材であるが、その外周部にある第一のリング部５ｂと一体に形成して、その一体に形成した部材（端部壁５）により第１空間および第２空間を閉鎖するように構成したほうが製造上等の理由で便利である。そこでここでは端部壁５ａと第１リング部５ｂとを一体として端部壁５として扱う。
【００７４】
端部壁５は、本発明の清浄空間形成装置１０において、第１空間１および第２空間２を端面側から閉鎖する役割を有する。以下の実施形態においては隔壁３および外壁の外周壁４ａが円筒形状に形成されているので、端部壁５は円板状に形成されている。
【００７５】
各実施形態において詳細に説明するが、端部壁５の外部に監視テレビカメラ、光源、観察点がある場合、端部壁５を通して観察を行う必要があるので端部壁５は透明な、ガラスや、アクリル、ポリスチレン、ポリカーボネート、ポリエチレンテレフタレート（ＰＥＴ）などの合成樹脂にて形成される。一方、テレビカメラやセンサー類が第１空間１の内部に配置される構成がとられる場合、端部壁５の材料は、外壁４の材料と同様に、ステンレス鋼、チタン、銅、真鋳、鋳鉄、鋼、アルミニウムなどの金属のほか、使用される環境の温度条件を考慮の上、プラスチックやセラミックスを使用することもできる。
【００７６】
第１空間１の内部に光源が配置される場合、光源の発光効率を高めるために端部壁５の第１空間１に面する側を鏡面にしてもよい。さらに内部光源が点光源である場合には、端部壁５を放物面体に形成するとともに、内面を鏡面として、該光源の配置を適切に行えば、直進性に富んだ光を供給することも可能である。
【００７７】
（気体供給手段６）
気体供給手段６は、所定種類の気体（以下の各実施形態においては空気、窒素ガス（Ｎ２）等）を第２空間２に供給して、第２空間２と第１空間１との間に所定の差圧を発生させることを目的とするものである。
【００７８】
気体供給手段６はコンプレッサーなどの気体圧縮手段７、圧力調製弁８、圧力ゲージ１８、およびこれらと清浄空間形成装置１０とをつなぐ配管９等から構成される。以降の図においては気体供給手段６の図示は省略することもあるが、清浄空間形成装置１０は必ず気体供給手段６を備えているものとする。
【００７９】
（作用）
この清浄空間形成装置１０においては、まず気体供給手段６のコンプレッサー７により、圧縮空気が形成され、該圧縮空気は圧力調製弁８により所定の圧力に調整されたうえで閉鎖された空間である第２空間２に供給される。その結果、第２空間の内圧が上記所定の圧力に高められて第２空間２と第１空間１との間に差圧ΔＰが発生する。すると、第１空間１と第２空間２とを仕切る隔壁３は空気を流通させることが可能な焼結金属により形成されているので、第２空間２に供給された空気は濾材たる焼結金属を経て第１空間１へと流通される。ここで焼結金属は内部に微細かつランダムな方向に孔が無数とも言うべきほどに多数形成されているので、濾材としての焼結金属内部の空気の流通は均一なものとなる。この焼結金属内部からフィルター内周面側、すなわち第１空間１側に無数ともいえる非常に多くの開口が、ランダムな方向に向けて形成されている。
【００８０】
したがって、第２空間２から第１空間１への空気の移動による部分的乱流は発生し難い。また第１空間１は一方の端面が開口部１１とされているので、第２空間２から第１空間１へと流通された空気は、この開口部１１全体を介して外部へと緩やかにかつ遅滞なく排出される。このようにして第１空間１は外部の圧力より僅かに高く保たれ、乱流発生による第１空間１内への塵埃等の巻き込み現象が起こりにくい。したがって、外部空間に存在する塵埃等の汚濁物質が第１空間１へ流入されることが防止可能となる。
＜第１実施形態＞
図２は、第１実施形態にかかる視野確保装置を示す概略断面図である。この視野確保装置２０は、内部に汚濁環境空間ＤＡを有する設備２２の壁面２１に清浄空間形成装置１０の開口部１１側が取り付けられて構成されている。したがって清浄空間形成装置１０の大半は、設備２２の壁面２１から設備外方に突出して配置されている。清浄空間形成装置１０の第１空間１は、汚濁環境空間ＤＡに連通されている。清浄空間形成装置１０の端部壁５ａは透明な材料、たとえばガラスにより形成されている。端部壁５ａのさらに外方にはテレビカメラ２３が配置され、その後方には照明２５が設置されている。このような構成をとることにより、汚濁空間ＤＡを有する設備２２の内部をテレビカメラ２３により監視することができる。透明なガラス壁５ａと汚濁環境空間ＤＡとは清浄空間たる第１空間１により隔てられているので、ガラス壁５ａは、汚濁空間に浮遊する塵埃等により汚染されることがなく、テレビカメラ２３による監視を長期にわたりメインテナンスフリーで行うことが可能となる。なお、テレビカメラ２３を配置せずに光源（照明）のみを配置し、肉眼で設備２２の内部を観察する場合でも同様の効果を享受することができる。
【００８１】
図３は、第１実施形態にかかる他の視野確保装置を示す概略断面図である。この視野確保装置３０は、内部に汚濁環境空間ＤＡを有する設備３２の壁面３１に清浄空間形成装置１０の端部壁５ａ側が取り付けられて構成されている（図３においてはスマッジングが付された部分が汚濁環境空間ＤＡを表している。）。したがって清浄空間形成装置１０の大半は、設備３２の壁面３１から設備内に突出して配置されている。この視野確保装置３０においても、清浄空間形成装置１０の第１空間１は、汚濁環境空間ＤＡに連通されている。清浄空間形成装置１０の端部壁５ａは透明な材料、たとえばガラスにより形成されている。端部壁５ａのさらに外方にはテレビカメラ２３が配置され、その後方には照明装置２５が設置されている。このような構成をとることにより、汚濁空間ＤＡを有する設備３２の内部をテレビカメラ２３により監視することができる。透明なガラス壁５ａと汚濁環境空間ＤＡとは清浄空間たる第１空間１により隔てられているので、ガラス壁５ａは、汚濁空間に浮遊する塵埃等により汚染されることがなく、テレビカメラ２３による監視を長期にわたりメインテナンスフリーで行うことが可能となる。なお、テレビカメラ２３を配置せずに照明装置２５を直接端部壁５ａに対向する位置に配置し、肉眼で設備３２の内部を観察する場合でも同様の効果を享受
することができる。
【００８２】
（実施例１−１）
図４は、連続溶融亜鉛鍍金装置のスナウトに適用した第１実施形態にかかる視野確保装置を示す概略図である。スナウト４０の壁面４１の二箇所に本発明にかかる視野確保装置４２ａ、４２ｂが取り付けられている。本実施例においては、端部壁５５ａ、５５ｂは、スナウト４０の外部から内部を見ることができるように透明なガラスで形成されている。視野確保装置４２ａ、４２ｂそれぞれの後方にはテレビカメラ４４ａ、４４ｂが配置され、さらにその後方には照明４３ａ、４３ｂが設けられている。スナウト４０内において、シンクロール４９等により駆動されて、鋼板Ｓは上方から下方に走行される。スナウト４０の下方には溶融亜鉛が満たされた鍍金槽４５が設けられている。鍍金槽４５内の溶融亜鉛液面４６近傍には、鍍金されるべき鋼板表面性上に悪影響を与えるスカム、ノロ等を系外へと吸い出すサクション管４７ａ、４７ｂの吸い込み口４８ａ、４８ｂが設けられている。
【００８３】
テレビカメラ４４ａ、４４ｂは溶融亜鉛液面４６や、その近傍を走行する鋼板Ｓを監視し、スカム等が鋼板表面に付着しないようしにている。かかる構造の連続溶融亜鉛鍍金装置のスナウト４０内は亜鉛ヒューム等で汚染が激しい本願で言う汚濁空間である。しかし、本願発明にかかる視野確保装置４２ａ、４２ｂにより端部壁５５ａ、５５ｂのガラス面は清浄に保たれるので、スナウト４０内の汚染物質の影響を受けることなく、長期にわたりテレビカメラ４４ａ、４４ｂによるスナウト４０内の監視を継続することが可能である。
【００８４】
この視野確保装置４２ａ、４２ｂにおいては、第１空間１と第２空間２との間の差圧は２×１０５Ｐａ以下であることが好ましく、さらに好ましくは１×１０５Ｐａ以下である。
【００８５】
なお、実機における本実施例の各部の圧力実測値は、
第２空間：大気圧＋２．２×１０４Ｐａ
第１空間：大気圧＋０．６〜０．７×１０４Ｐａ
スナウト内：大気圧＋０．０５×１０４Ｐａ
であった。
【００８６】
本実施の形態によれば前記したように第１空間内１を清浄に保つことができるので、この端部壁５５ａ、５５ｂの汚れを長期間(例えば６ヵ月程度)にわたって防止することができ、端部壁５５ａ、５５ｂの内面の透明なガラス面を長期間にわたって清浄な状態で維持することができ、テレビカメラ４４ａ、４４ｂの視野を確保することができるのである。
【００８７】
（実施例１−２）
図５は、本発明にかかる清浄空間形成装置１０を連続焼鈍炉５０に適用して、視野確保装置５１を構成した状況を一部簡略化して示す説明図である。また、図６は、図５における視野確保装置５１の長さ方向軸心を通る垂直断面図である。さらに、図７は図６に二点鎖線で示すVII部の拡大図である。なお、図６および７においては、清浄な空気の流れを強調して示すため、空気供給手段から第２空間および第１空間へと供給される清浄空気を多数の「点」で表している。一方図６では、汚濁空間の塵埃等を多数の「小片」で表している。
【００８８】
図５〜図７に示すように清浄空間形成装置１０は、連続焼鈍炉５０の炉壁にフランジにより取り付けられている。なお、図７に詳細に示すように、第２空間２の先端側（図において右側）には第２リング部４ｂが設けられており、この第２リング部４ｂのさらに外側にはパッキン７０が設けられている。パッキン７０の外側にはフランジ７１が設けられている。フランジ７１は、図５に示すように、連続焼鈍炉５０の炉壁面に設けられたフランジ７２に当接され、締結ボルト７３により固定されている。
【００８９】
また、隔壁３の連続焼鈍炉５０側の外面端部（図において左側）には、フランジ７４が設けられており、フランジ７４が設けられた隔壁３の内面に、ガラス製の端部壁７６が固定されている。これにより第１空間１および第２空間２の一方の開口部は、ガラス製の端部壁７６により封止状態で塞がれている。
【００９０】
フランジ７４の外面には、図５および図６に示すように、カメラ等光学的撮影装置７９の撮影光学系の前端部に設けられたフランジ７５が、端部壁７６を介して、締結固定されている。カメラ等光学的撮影装置７９の後方には照明装置７８が配置されている。
【００９１】
また、第２空間を覆う外周壁４ａの外面には、気体供給手段６の配管９に接続される空気供給孔７７が設けられている。なお、外周壁４ａおよび隔壁３それぞれの延設方向の長さは、連続焼鈍炉５０内に存在する粉塵等の大きさ(重量)や量、および内部を流れる基気体の流速等に応じて、適宜設定すればよい。例えば、粉塵等の量が多い場合には、外周壁４ａおよび隔壁３それぞれの延設方向の長さを適宜長く設定すればよい。
【００９２】
また、端部壁７６は、パッキン７０を介在させることにより、隔壁３および外周壁４ａそれぞれの両端部開口のうち、一方の側の関口を封止状態で塞いでいる。
【００９３】
隔壁３の両端部のうちで端部壁７６が設けられていない側の端部の開口部１１は、連続焼鈍炉５０の内部を指向し、この内部に連通するように構成されている。
【００９４】
なお、本実施の形態とは異なり、端部壁７６を、光学的撮影装置の撮影光学系のレンズにより構成すること、換言すれば、パッキン７０を介して隔壁３および外周壁４ａのそれぞれの端部に、光学的撮影装置の撮影光学系のレンズを直接固定してもよい。
【００９５】
このように、連続焼鈍炉５０に上記の清浄空間形成装置１０を適用することによって、連続焼鈍炉５０の内部を外部から監視するための清浄な第１空間１を確保することができ、これにより、長期間にわたって第１空間１への汚れの侵入を防止できる。
【００９６】
実施例１−１、１−２の視野確保装置４２ａ、４２ｂ、５１によれば、隔壁３の全内周面より滲み出た空気が第１空間１内部からスナウト４０内または連続焼鈍炉５０内の汚濁環境空間ＤＡへと緩やかな気流を形成して、ガラス製の端部壁５５ａ、５５ｂ、７６に付着する汚れの原因となる、気流の巻き込みを防止できるため、端部壁５５ａ、５５ｂ、７６の汚れや挨の侵入を防ぐことができる。これにより、長期間にわたって連続的に鮮明で曇りのない視野空間を確実に確保することができる。
【００９７】
また、実施例１−１、１−２の視野確保装置４２ａ、４２ｂ、５１は、機構が簡単であり、部品数が少なく、安価であり、さらにランニングコストを殆ど要さない。特に、簡単堅牢な構造であるために故障も少ない。このため、大口径の視野を確保し易く、工業用計器への適合性も極めて高い。
【００９８】
さらに、実施例１−１、１−２の視野確保装置４２ａ、４２ｂ、５１は、スナウト４０または、連続焼鈍炉５０の炉外に設置できるため、特に低、中熱で使用される場合には、特段の冷却機構を設ける必要がない。なお、高温雰囲気中で使用される場合には、例えば外周壁４ａの外側に第３の側壁部材(図示しない)を設けた二重管式構造とすることにより、簡素な構造を維持しながら充分な冷却性能を与えることも容易である。
【００９９】
（実施例１−３）
図８（ａ）は、小口径の覗き窓を三個並設することによって長円形の覗き窓を形成した例を示す水平断面図である。また図８（ｂ）は、覗き窓の配列を示す概略斜視図である。これらの図に示す例では、小口径の円形の隔壁８３を水平（または垂直）方向に３つ並設して、これらの周囲を外壁８４により覆い、３つの隔壁８３および外壁８４の一方側の開口を端部壁８６により封止状態で塞いでいる。空気供給孔８７からは系内の第２空間への空気供給が行われている。これにより、小口径の覗き窓８５ａ、８５ｂ、８５ｃを三個並設することによって長円形の覗き窓を形成でき視野をより広く確保している。
【０１００】
＜第２実施形態＞
図９は、第２実施形態にかかる検知装置を示す概略断面図である。この検知装置１００は、汚濁環境空間ＤＡの中に設けられている（図９においてはスマッジングが付された部分が汚濁環境空間ＤＡを表している。）。検知装置１００の一部を構成する清浄空間形成装置１０の第１空間１は、汚濁環境空間ＤＡに連通されている。清浄空間形成装置１０の内部にはテレビカメラ、センサー等の検知器９０が収容されている。汚濁環境空間ＤＡの外部にある気体圧縮手段、圧力調製弁（いずれも不図示）から、配管９９を通じて、第２空間２へ清浄な空気が供給されている。このような構成をとることにより、汚濁空間ＤＡの内部をテレビカメラにより監視し、あるいはセンサーにて所定の事象を検知することができる。検知器９０は清浄空間たる第１空間１内に収容されているので、検知器９０の表面が汚濁空間に浮遊する塵埃等により汚染されることがなく（検知器９０の表面に塵埃等が付着することなく）、所定の検知を長期にわたりメインテナンスフリーで行うことが可能となる。なお、検知器９０に代わり光源を配置し、汚濁環境空間内における投光機として構成することも可能である。テレビカメラ等の検知器や光源を第１空間内に収容する場合には、端部壁を透明にする必要がないので、端部壁は外壁と同様にステンレス鋼等の金属で構成することができ、この場合は検知器や光源を端部壁に容易に取り付けることができる。
（実施例２−１）
図１０は、第２実施形態にかかる検知装置の一例として透過型センサーを物体検出器として構成した場合を示す概略図である。この検知装置は、汚濁環境空間ＤＡ内に、検知装置１００ａと１００ｂとが、それぞれの開口部が対向するように配置されている。検知装置１００ａの内部には発光素子１０１ａが、検知装置１００ｂの内部には受光素子１０１ｂが配置され、これら両素子により透過型フォトセンサーが構成されている。検知装置１００ａと１００ｂとの間を被検知物１０２ａ〜１０２ｃが横切ると、発光素子１０１ａから発せられて受光素子１０１ｂにて感知されていた光が遮られるので、被検知物１０２ａ〜１０２ｃの通過を検知することができる。
（実施例２−２）
図１１は、第２実施形態にかかる検知装置の他の一例として反射型センサーを物体検出器として構成した場合を示す概略図である。この検知装置は、汚濁環境空間ＤＡ内に、検知装置１１０の開口部が被検知物に向けて配置されている。検知装置１１０の内部には反射型センサー１１１（例えば光や超音波を発信し、反射波を受信する構造のもの）が収容されている。被検知物１１２ａ〜１１２ｃが検知装置１１０の前方を横切ると、センサーから発信された光等が被検知物１１２ａ〜１１２ｃの表面で反射され再びセンサーに至ることにより被検知物１１２ａ〜１１２ｃの通過を検知することができる。
【０１０１】
さらに、反射型センサー１１１に変えて、検知装置１１０の内部にテレビカメラを収容して、汚濁環境空間ＤＡ内の監視装置として構成してもよい。また、反射型センサー１１１に変えて放射型温度計を検知装置１１０の内部に収容して、汚濁環境空間ＤＡ内の特定部位の温度感知器として構成することもできる。
【０１０２】
いずれの場合にも、検知装置内部が清浄空間に保たれているので、反射型センサー、テレビカメラ、放射温度計が汚濁環境空間の塵埃等に汚染されることがなく、長期にわたってメインテナンスフリーの観測を行うことが可能となる。
（実施例２−３）
図１２は、第２実施形態にかかる検知装置のさらに他の一例として構成された画像解析映像検出器を示す概略図である。この画像解析映像検出器は、検知装置１２０が下向きに配置され、内部にテレビカメラ１２１が収容されている。テレビカメラ１２１は通常固体撮像素子（ＣＣＤ）カメラで構成されており、下方に置かれた物品の形状を画像として取り込んで解析を行う。このような画像解析映像検出器は例えば、製品製造ラインにおいて製品１２２を撮像して、その製品に所定の部品が所定位置に正しく取り付けられているか否かを検査する目的で使用される。また、例えば製品の表面にプリントされた管理番号等を撮像して読み取り、それによって所定の処理を行うために使用される。
（実施例２−４）
図１３は、第２実施形態にかかる検知装置のさらに他の一例として構成された屋外監視カメラを示す概略図である。本実施例は設備内部の汚濁環境空間ではなく、開放された空間が汚濁環境空間を形成している場合に関するものである。開放された汚濁環境空間内の検知装置１３０の内部にはテレビカメラ１３１が収容されている。このような開放された汚濁環境空間の例としては、屋外駐車場、交通量の多い交差点、製鉄所内原料ヤード、石炭ヤード、溶鉱炉・転炉・圧延機周辺、セメントや穀物に関する各種荷役設備周辺、火山の噴火口周辺等が挙げられ、これらの箇所において、本検知装置は、監視、危険予知等の目的で好適に使用可能である。この場合も、テレビカメラ１３１のレンズ面に塵埃等が付着することを防止でき、長期間にわたってメインテナンスフリーで使用することができる。
【図面の簡単な説明】
【０１０３】
【図１】本発明にかかる清浄空間形成装置を示す概略断面図である。
【図２】第１実施形態にかかる視野確保装置を示す概略断面図である。
【図３】第１実施形態にかかる他の視野確保装置を示す概略断面図である。
【図４】亜連続溶融亜鉛鍍金装置のスナウトに適用した第１実施形態にかかる視野確保装置を示す概略図である。
【図５】連続焼鈍炉の加熱帯炉頂に第１実施形態にかかる視野確保装置を適用して構成した監視装置を示す概略図である。
【図６】図５における監視装置の長さ方向軸心を通る垂直断面図である。
【図７】図６に二点鎖線で示すＶＩＩの拡大図である。
【図８】小口径の覗き窓を三個並設することによって長円形の覗き窓を形成した例を示す垂直断面図である。
【図９】第２実施形態にかかる検知装置を示す概略断面図である。
【図１０】第２実施形態にかかる検知装置の一例として透過型センサーを物体検出器として構成した場合を示す概略図である。
【図１１】第２実施形態にかかる検知装置の他の一例として反射型センサーを物体検出器として構成した場合を示す概略図である。
【図１２】第２実施形態にかかる検知装置のさらに他の一例として構成された画像解析映像検出器を示す概略図である。
【図１３】第２実施形態にかかる検知装置のさらに他の一例として構成された屋外監視カメラを示す概略図である。
【符号の説明】
【０１０４】
ＤＡ  汚濁環境空間
１  第１空間
２  第２空間
３  隔壁
４  外壁
４ｃ  フード
５  端部壁
６  気体供給手段
１０  清浄空間形成装置
１１  開口部
２０、３０、５１  視野確保装置
２３  テレビカメラ
２５  照明装置（光源）
３２、５０  設備（５０：連続焼鈍炉）
９０  検知器
１００、１００ａ、１００ｂ、１１０、１２０、１３０  検知装置
１０１ａ  発光素子（検知器）
１０１ｂ  受光素子（検知器）
１１１  反射型センサー（検知器）
１２１、１３１  テレビカメラ（検知器）
【図１】
2007205708.tif 000003
【図２】
2007205708.tif 000004
【図３】
2007205708.tif 000005
【図４】
2007205708.tif 000006
【図５】
2007205708.tif 000007
【図６】
2007205708.tif 000008
【図７】
2007205708.tif 000009
【図８】
2007205708.tif 000010
【図９】
2007205708.tif 000011
【図１０】
2007205708.tif 000012
【図１１】
2007205708.tif 000013
【図１２】
2007205708.tif 000014
【図１３】
2007205708.tif 000015